【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
第１クライアントデバイスまたはシステムから第２クライアントデバイスまたはシステムへの、ユーザによるアプリケーションの使用の移行を容易にする方法であって、
それぞれのユーザの制御下の前記第１クライアントデバイスまたはシステムで、
第１アプリケーションを実行するステップと、
前記第１クライアントデバイスまたはシステムが前記第２クライアントデバイスまたはシステムのあらかじめ定められた近傍内に位置する場合、前記第１アプリケーションに関連付けられるアプリケーション情報を前記第２クライアントデバイスまたはシステムに送信するステップを備える、ハンドオフ動作を実行するステップであって、
前記ハンドオフ動作が実行されるときに、前記第１アプリケーションが第１クライアントデバイスユーザインターフェース状態を有する、ステップと、
前記第２クライアントデバイスまたはシステムで、
前記第１クライアントデバイスユーザインターフェース状態に対応する最初のユーザインターフェース状態を有する前記第１アプリケーションに対応する第２アプリケーションを実行するステップと、
前記第１クライアントデバイスまたはシステムから前記アプリケーション情報を受信するステップと、
前記第１アプリケーションに対応する前記第２アプリケーションがフォアグラウンドアプリケーションとして実行しないシステム状態から、前記第１アプリケーションに対応する前記第２アプリケーションが前記フォアグラウンドアプリケーションとして実行するシステム状態に移行することによって、前記第１クライアントデバイスまたはシステムからの前記アプリケーション情報を受信することに応答するステップと、を備える、方法。
【請求項２】
前記第２クライアントデバイスまたはシステムが前記それぞれのユーザの制御下にある、請求項１に記載の方法。
【請求項３】
前記第１アプリケーションおよび第２アプリケーションは、両方ともｅメールアプリケーションである、請求項２に記載の方法。
【請求項４】
前記第１クライアントデバイスユーザインターフェース状態が特定のメッセージまたは会話スレッドの表示を備え、前記最初のユーザインターフェース状態に対応する前記第１クライアントデバイスユーザインターフェース状態が、前記特定のメッセージまたは会話スレッドの表示を備える、請求項３に記載の方法。
【請求項５】
前記第１クライアントデバイスユーザインターフェース状態が未送信の下書きメッセージの表示を備え、前記第１クライアントデバイスユーザインターフェース状態に対応する前記最初のユーザインターフェース状態が、前記未送信の下書きメッセージの表示を備える、請求項３に記載の方法。
【請求項６】
前記第１アプリケーションおよび第２アプリケーションが同じアプリケーションの２つのインスタンスである、請求項１に記載の方法。
【請求項７】
前記第１アプリケーションおよび第２アプリケーションが両方ともマルチメディアプレーヤである、請求項６に記載の方法。
【請求項８】
前記第１アプリケーションおよび第２アプリケーションが同じアプリケーションタイプの２つの異なるインスタンスである、請求項１に記載の方法。
【請求項９】
前記あらかじめ定められた近傍が４センチメートル以下である、請求項１に記載の方法。
【請求項１０】
前記アプリケーション情報がＭＩＭＥタイプおよびアプリケーションコンテンツを備える、請求項１に記載の方法。
【請求項１１】
前記アプリケーションコンテンツが、ＵＲＬ、それぞれのアドレスブックエントリについての連絡先情報、表示されたマップを識別する情報、２つの位置間を移動するための表示されたマップおよび宛先のセットを識別する情報で構成されるグループから選択される、請求項１０に記載の方法。
【請求項１２】
第１クライアントデバイスまたはシステムから第２クライアントデバイスまたはシステムへの、ユーザによるアプリケーションの使用の移行を容易にする方法であって、
それぞれのユーザの制御下の前記第１クライアントデバイスまたはシステムで、
第１アプリケーションを実行するステップと、
前記第１クライアントデバイスまたはシステムが前記第２クライアントデバイスまたはシステムのあらかじめ定められた近傍内に位置する場合、前記第１アプリケーションに関連付けられるアプリケーション情報を前記第２クライアントデバイスまたはシステムに送信するステップを備える、ハンドオフ動作を実行するステップであって、
前記ハンドオフ動作が実行されるときに、前記第１アプリケーションが第１クライアントデバイスユーザインターフェース状態を有する、ステップと、
前記第２クライアントデバイスまたはシステムで、前記第１クライアントデバイスまたはシステムからの前記アプリケーション情報の受信に応答して、
前記第１クライアントデバイスユーザインターフェース状態に対応する最初のユーザインターフェース状態を有する前記第１アプリケーションに対応する第２アプリケーションを実行するステップであって、
前記第２クライアントデバイスまたはシステムは、前記それぞれのユーザの制御下にあり、
前記第１アプリケーションおよび第２アプリケーションは、両方ともｅメールアプリケーションであり、
前記第１クライアントデバイスユーザインターフェース状態が、ユーザが指定した検索クエリに対応する会話の第１リストの表示を備え、前記第１クライアントデバイスユーザインターフェース状態に対応する前記最初の前記ユーザインターフェース状態が、前記ユーザが指定した検索クエリに対応する会話の第２リストの表示を備えるステップと、を具備する方法。
【請求項１３】
前記第１アプリケーションおよび第２アプリケーションが同じアプリケーションの２つのインスタンスである、請求項１２に記載の方法。
【請求項１４】
前記第１アプリケーションおよび第２アプリケーションが同じアプリケーションタイプの２つの異なるインスタンスである、請求項１２に記載の方法。
【請求項１５】
前記あらかじめ定められた近傍が４センチメートル以下である、請求項１２に記載の方法。
【請求項１６】
前記アプリケーション情報がＭＩＭＥタイプおよびアプリケーションコンテンツを備える、請求項１２に記載の方法。
【請求項１７】
第１クライアントデバイスまたはシステムから第２クライアントデバイスまたはシステムへの、ユーザによるアプリケーションの使用の移行を容易にする方法であって、
それぞれのユーザの制御下の前記第１クライアントデバイスまたはシステムで、
第１アプリケーションを実行するステップと、
前記第１クライアントデバイスまたはシステムが前記第２クライアントデバイスまたはシステムのあらかじめ定められた近傍内に位置する場合、前記第１アプリケーションに関連付けられるアプリケーション情報を前記第２クライアントデバイスまたはシステムに送信するステップを備える、ハンドオフ動作を実行するステップであって、
前記ハンドオフ動作が実行されるときに、前記第１アプリケーションが第１クライアントデバイスユーザインターフェース状態を有する、ステップと、
前記第２クライアントデバイスまたはシステムで、
前記第１クライアントデバイスユーザインターフェース状態に対応する最初のユーザインターフェース状態を有する前記第１アプリケーションに対応する第２アプリケーションを実行するステップと、
前記第１クライアントデバイスまたはシステムから前記アプリケーション情報を受信するステップと、を備え、
前記第１クライアントデバイスユーザインターフェース状態が、第１再生位置における第１マルチメディアアイテムの再生を備え、前記最初のユーザインターフェース状態に対応する前記第１クライアントデバイスユーザインターフェース状態が、前記第１再生位置に対応する第２再生位置における前記第１マルチメディアアイテムの再生を備える方法。
【請求項１８】
前記第２再生位置が、前記第１再生位置に関するあらかじめ定められたオフセットを有する、請求項１７に記載の方法。
【請求項１９】
前記第２クライアントデバイスまたはシステムが、前記それぞれのユーザの制御下にある、請求項１７に記載の方法。
【請求項２０】
前記第２クライアントデバイスまたはシステムにおいて、前記第１アプリケーションに対応する前記第２アプリケーションがフォアグラウンドアプリケーションとして実行しないシステム状態から、前記第１アプリケーションに対応する前記第２アプリケーションが前記フォアグラウンドアプリケーションとして実行するシステム状態に移行することによって、前記第１クライアントデバイスまたはシステムからの前記アプリケーション情報を受信することに応答するステップをさらに具備する、請求項１７に記載の方法。
【請求項２１】
前記第１アプリケーションおよび第２アプリケーションが同じアプリケーションタイプの２つの異なるインスタンスである、請求項１７に記載の方法。
【請求項２２】
前記あらかじめ定められた近傍が４センチメートル以下である、請求項１７に記載の方法。
【請求項２３】
前記アプリケーション情報がＭＩＭＥタイプおよびアプリケーションコンテンツを備える、請求項１７に記載の方法。
【請求項２４】
第１クライアントデバイスまたはシステムから第２クライアントデバイスまたはシステムへの、ユーザによるアプリケーションの使用の移行を容易にする方法であって、
それぞれのユーザの制御下の前記第１クライアントデバイスまたはシステムで、
第１アプリケーションを実行するステップと、
前記第１クライアントデバイスまたはシステムが前記第２クライアントデバイスまたはシステムのあらかじめ定められた近傍内に位置する場合、前記第１アプリケーションに関連付けられるアプリケーション情報を前記第２クライアントデバイスまたはシステムに送信するステップを備える、ハンドオフ動作を実行するステップであって、
前記ハンドオフ動作が実行されるときに、前記第１アプリケーションが第１クライアントデバイスユーザインターフェース状態を有する、ステップと、
前記第２クライアントデバイスまたはシステムで、
前記第１クライアントデバイスまたはシステムから前記アプリケーション情報を受信するステップと、を備え、
前記アプリケーション情報がＭＩＭＥタイプおよびアプリケーションコンテンツを備え、前記第１クライアントデバイスまたはシステムからの前記アプリケーション情報の受信に応答して、前記第２クライアントデバイスまたはシステムが前記ＭＩＭＥタイプに対応する第２アプリケーションを有していないという決定によって、前記ＭＩＭＥタイプに対応するそれぞれの第２アプリケーションをダウンロードするためのプロンプトを表示し、ユーザ命令に応答して前記それぞれの第２アプリケーションをダウンロードし、前記第１クライアントデバイスユーザインターフェース状態に対応する最初のユーザインターフェース状態を有する前記第２アプリケーションを実行する方法。
【請求項２５】
前記第２クライアントデバイスまたはシステムが、前記それぞれのユーザの制御下にある、請求項２４に記載の方法。
【請求項２６】
前記第１アプリケーションおよび第２アプリケーションが同じアプリケーションの２つのインスタンスである、請求項２４に記載の方法。
【請求項２７】
前記第１アプリケーションおよび第２アプリケーションが同じアプリケーションタイプの２つの異なるインスタンスである、請求項２４に記載の方法。
【請求項２８】
前記あらかじめ定められた近傍が４センチメートル以下である、請求項２４に記載の方法。
【請求項２９】
前記第１アプリケーションおよび第２アプリケーションは、両方ともｅメールアプリケーションである、請求項２４に記載の方法。
【請求項３０】
前記第１クライアントデバイスユーザインターフェース状態が、ユーザが指定した検索クエリに対応する会話の第１リストの表示を備え、前記第１クライアントデバイスユーザインターフェース状態に対応する前記最初の前記ユーザインターフェース状態が、前記ユーザが指定した検索クエリに対応する会話の第２リストの表示を備えるステップと、を具備する請求項２９に記載の方法。